(57)【要約】【課題】シェード布地の折り重なり形状を種々変更可能で意匠性が高く、簡素な構成で汎用性の高い、昇降コードを廃したシェードを提供する。【解決手段】シェード布地１０を上下に伸縮することで開閉するシェード１であって、昇降コードは備えていない。シェード布地１０の裏面には、上部から下部にかけて、互いに係脱可能な雄ボタン２１と雌ボタン２２とからなる複数個のスナップボタン２０が、左右に複数列設けられている。スナップボタン２０は、細長テープ状の基布３０に設けられており、当該基布３０をシェード布地１０に縫着している。シェード布地１０の上端縁には、支持棒３０を挿通可能な筒部１１が設けられている。複数あるスナップボタン２０の係合パターンを種々変更することで、シェード布地１０の折り重なり形状を自由にデザインすることができる。【選択図】図１
2012097535.tif 000002
【特許請求の範囲】
【請求項１】
シェード布地を上下に伸縮することで開閉するシェードであって、
昇降コードを備えておらず、
前記シェード布地の上部から下部にかけて、互いに係脱可能な雄部材と雌部材とからなる複数個の係合手段が列状に設けられていることを特徴とする、シェード。
【請求項２】
前記雄部材及び雌部材は、一定の間隔で規則的に配設されていることを特徴とする、請求項１に記載のシェード。
【請求項３】
前記雄部材と雌部材が、交互に配設されていることを特徴とする、請求項２に記載のシェード。
【請求項４】
前記係合手段が左右複数列設けられていることを特徴とする、請求項１ないし請求項３のいずれかに記載のシェード。
【請求項５】
前記係合手段が、雄ボタンと雌ボタンとからなるスナップボタンであることを特徴とする、請求項１ないし請求項４のいずれかに記載のシェード。
【請求項６】
前記係合手段は、細長テープ状の基布に設けられており、
該係合手段を備える基布を前記シェード布地に配していることを特徴とする、請求項１ないし請求項５のいずれかに記載のシェード。
【請求項７】
前記係合手段は、前記シェード布地の裏面に配されていることを特徴とする、請求項１ないし請求項６のいずれかに記載のシェード。
【請求項８】
前記シェード布地の上端縁には、該シェード布地を吊下支持する支持棒を挿通可能な筒部が設けられていることを特徴とする、請求項１ないし請求項７のいずれかに記載のシェード。
【発明の詳細な説明】
【技術分野】
【０００１】
本発明は、シェード布地を昇降操作する昇降コードを廃したシェードに関する。
【背景技術】
【０００２】
従来から、ビルや家屋等の建築物の窓には、光や人目を遮蔽するためブラインドが設置される。典型的なブラインドは、水平方向に延在する略平板状のスラットを、左右複数本の昇降コードを挿通して上下に複数枚吊下し、各スラットを、その水平な長手方向軸心を中心として回転させることで、各スラット間の間隙を開閉可能となっている。また、最下段のスラットを昇降コードによって引き上げることで、それより上方の各スラットが次々と積み重なりながら引き上げられることで、ブラインド全体を開閉可能ともなっている（例えば特許文献１）。
【０００３】
一方、近年では、従来のスラットを用いたブラインドに替えて、布製のシェードを用いたローマンシェードも開発されている（例えば特許文献２）。この種のローマンシェードは、昇降コードの昇降操作を案内するローラ等を内蔵する上端のヘッドボックスから、一枚布からなるシェード布地が吊下されており、シェード布地の下端にはボトムバーが配されている。ヘッドボックスからボトムバーにかけては、左右複数本の昇降コードが、シェード布地に所定のピッチで挿通された状態で配されている。そして、昇降コードによってボトムバーを上方へ牽引することで、シェード布地が上下複数段に折り畳まれながら全体的に伸縮することで、ローランシェードを開閉可能となっている。また、昇降コードを使用せず、シェード布地全体をヘッドボックス内へ巻き取り収納するロールブラインドも開発されている（例えば特許文献３）。
【先行技術文献】
【特許文献】
【０００４】
【特許文献１】特開２００６−１３８１０３号公報
【特許文献２】特開平９−２９６６６６号公報
【特許文献３】特開平１１−３２４５３１号公報
【発明の開示】
【発明が解決しようとする課題】
【０００５】
ところで、ブラインドやシェードは建築物の室内へ設置されるため、室内空間の意匠性に大きな影響を与える。しかしながら従来のブラインドやローマンシェードは、室内空間へ与える意匠性についてはあまり検討されていない。シェード布地を使用したローマンシェードやロールブラインドでは、シェード布地自体に図柄や織柄等を付すことで全閉状態における意匠性を向上することは可能であるが、半開ないし全開状態ではその意匠性は失われる。ローマンシェードは半開ないし全開するとシェード布地が上下に複数段折り重なった状態となるが、一定のピッチで昇降コードが挿通されているだけなのでその折り重なり状態は常に一定であり、半開ないし全開状態において意匠性を向上することは不可能である。ブラインドは単に各スラットが上下に重なるだけであり、やはり半開ないし全開状態における意匠性の向上は不可能である。すなわち、昇降コードによって開閉する従来のブラインドやローマンシェードでは、半開ないし全開状態も含めて、重なり状態による意匠性を向上することはできない。
【０００６】
また、従来のブラインドやローマンシェードは、各スラットやシェード布地を昇降ないし伸縮させる昇降コードのほか、当該昇降コードを案内するローラ等を内蔵したヘッドボックスや、ボトムバーを必須の構成としている。これでは部品点数が多く、組立作業（製造）も煩雑である。ロールブランドは昇降コードを使用していないものの、シェード布地を巻き取り収納するヘッドボックスやボトムバーを、やはり必須の構成としている。
【０００７】
しかも、ヘッドボックスやボトムバーの左右幅寸法は不可変なので、汎用性に劣る。ブラインドやローマンシェードの左右幅寸法は、規格化された建築物の窓に合わせて種々の規格寸法に設計されていることが多い。したがって、通常は、窓に応じた幅寸法のローマンシェード等を購入すればよい。しかしながら、建築物の改装や引越しなどで設置対象である窓の幅寸法が変わると、従来ではこれに応じて再度新たなローマンシェード等を購入する必要があった。また、従来のローマンシェード等は既存のカーテンレールへヘッドボックスを固定するものであるが、これでは設置作業が煩雑であった。
【０００８】
そこで本発明は、シェード布地の折り重なり形状を種々変更可能で意匠性が高く、簡素な構成で汎用性の高い、昇降コードを廃したシェードを提供することにある。
【課題を解決するための手段】
【０００９】
そのための手段として、本発明は、シェード布地を上下に伸縮することで開閉するシェードであって、昇降コードを備えておらず、前記シェード布地の上部から下部にかけて、互いに係脱可能な雄部材と雌部材とからなる複数個の係合手段が列状に設けられていることを特徴とする。すなわち本発明では、従来の昇降コードに替えて、雄部材と雌部材とからなる複数個の係合手段によってシェード布地を伸縮する構成となっている。これによれば、複数個ある雄部材と雌部材との係合位置を種々変更することで、シェード布地の折り重なり形状を自由に変更できる。すなわち、シェード布地の折り重なり形状のバリエーションが豊富となり、あらゆるデザインの形状を形成可能となる。しかも、ある程度折り重ねた状態を全閉状態に設定すれば、半開ないし全開状態における意匠性のみならず、図柄等を使用せずに全閉状態における意匠性も向上することができる。これにより、シェードの意匠性、延いては室内空間の意匠性を向上することができる。
【００１０】
また、本発明のシェードは昇降コードを備えていないため、従来のブラインドやローマンシェード等において必須であったヘッドボックスやボトムバーは必ずしも必要ない。したがって、部品点数が少なく簡素な構成のシェードとすることができる。
【００１１】
前記雄部材及び雌部材は、一定の間隔で規則的に配設することが好ましい。なお、ここでの一定の間隔とは、雄部材同士及び雌部材同士の間隔を意味する。したがって、雄部材同士の間に複数個の雌部材が配されていても構わないし、逆に雌部材同士の間に複数の雄部材が配されていても構わない。好ましくは、前記雄部材と雌部材を交互に配設する。このように、雄部材同士及び雌部材同士が一定の間隔で規則的に配設されていれば、シェード折り重なり形状にも一定の規則性が生じる。すなわち、複数段あるシェード布地の各折り畳み部が上下に整然と並ぶので、より意匠性を向上することができる。
【００１２】
前記係合手段は、例えばシェード布地の左右幅方向中央部に一列のみ設けることもできるが、左右複数列設けることが好ましい。これにより、例えば幅寸法の比較的大きなシェードにおいて、折り重なり形状の崩れを防止できることは当然として、さらには、各列における雄部材と雌部材との係合位置（係合パターン）を互いに異ならせることで、さらに折り重なり形状のバリエーションが増え、さらに意匠性を向上することができる。
【００１３】
前記係合手段としては、例えば雄部材としてのフックと雌部材としての係合孔等とすることができるほか、雄ボタンと雌ボタンとからなるスナップボタンとすることが好ましい。スナップボタンであれば、雄ボタンと雌ボタンとの係合が容易であるばかりか、シェード布地を下方に引っ張るだけで雄ボタンと雌ボタンとを容易に脱離することもできる。
【００１４】
前記係合手段は、シェード布地に直接設けることもできるが、細長テープ状の基布に係合手段を予め設けたうえで、当該基布を前記シェード布地に設けることが好ましい。これによれば、係合手段の設置が容易であると共に、製品毎における係合手段の配置間隔のバラツキを避けることができる。
【００１５】
また、前記係合手段は前記シェード布地の表面に配しても構わないが、裏面に配すことが好ましい。これによれば、シェードの全閉状態において係合手段の存在を目立たなくすることができ、全開状態における意匠性への悪影響も抑制することができる。なお、係合手段をシェード布地の表面に配していても、係合手段を係合した状態であれば、シェード布地が折り重なることで係合手段は隠される。
【００１６】
前記シェード本体の上端縁には、該シェード布地を吊下支持する支持棒を挿通可能な筒部を設けることが好ましい。上述のように、本発明では従来のようなヘッドボックスは不用となる。そこで、これに替えて筒部を設けておけば、当該筒部に支持棒を挿通するだけでよいので、部品点数が少なく簡素な構成であると共に、シェードの設置も容易となる。なお、支持棒は筒部に挿通可能で、且つシェードを吊下支持できる棒部材であれば何でも良く、特に制限されない。しかも、筒部も布地によって形成されているので、シェード自体も幅方向へ伸縮自在であり、汎用性が高い。すなわち、種々幅寸法の異なる窓へ設置するとき、シェード布地を幅方向へ伸縮することで、窓の幅寸法に合わせることができる。このとき、窓の幅寸法に応じた長さ寸法の支持棒を使用することになるが、支持棒自体も伸縮自在であれば、逐次支持棒を変更する必要が無いため好ましい。
【発明の効果】
【００１７】
本発明によれば、従来の昇降コードに替えて互いに係脱可能な雄部材と雌部材とからなる複数個の係合手段によってシェード布地を上下に伸縮しているので、シェード布地の折り重なり形状を逐次自由に設計することができ、意匠性を向上できる。また、従来のヘッドボックスやボトムバー等が不要であり、簡素な構成で汎用性の高いシェードとすることができる。
【図面の簡単な説明】
【００１８】
【図１】シェードの全閉状態を示す背面斜視図である。
【図２】係合手段の一例を示す斜視図である。
【図３】支持棒の一例を示す斜視図である。
【図４】シェードを開いた状態の一例を示す斜視図である。
【図５】シェードを開いた状態の他の一例を示す斜視図である。
【図６】シェードを開いた状態のさらに他の一例を示す斜視図である。
【図７】シェードを開いた状態のさらに他の一例を示す斜視図である。
【図８】シェードを開いた状態のさらに他の一例を示す斜視図である。
【図９】サイズの異なる窓へ設置した例を示す斜視図である。
【図１０】変形例を示す斜視図である。
【発明を実施するための最良の形態】
【００１９】
以下に、図面を参照しながら本発明の代表的な実施形態について説明するが、これに限定されることはなく、本発明の要旨を変更しない範囲で種々の変更が可能である。本発明のシェードは、典型的には光や人目を遮蔽するためビル、家屋、ショップ、公共施設等の各種建築物の窓や室外への出入口窓等へ適用される。また、高い意匠性からインテリアとして壁際に設けることもできる。
【００２０】
図１に示すように、シェード１は、窓を覆いシェードの本来機能を果たすシェード布地１０と、シェード布地１０を上下方向に伸縮保持させる複数個のスナップボタン２０と、シェード布地１０を吊下支持する支持棒３０とによって構成されている。なお、従来のような昇降コード、ヘッドボックス、及びボトムバーは備えていない。スナップボタン２０が、本発明の係合手段に相当する。
【００２１】
シェード布地１０はフレキシブルな一枚布から成る。また、シェード布地１０の上端縁には、該シェード布地１０の上端部が折り返されることで、左右両側端が開口する中空筒状の筒部１１が一体的に形成されている。シェード布地１０は、綿や麻等の天然繊維、ポリエチレンやポリエステル等の合成樹脂繊維、または天然繊維と合成樹脂繊維とを混用した織物となっている。
【００２２】
図２に示すように、スナップボタン２０は、互いに係脱可能な雄ボタン２１と雌ボタン２２とを備える。各雄ボタン２１と雌ボタン２２は、予め細長テープ状の基布２３に縫着や接着等により接合されている。そのうえで、当該基布２３がシェード布地１０の裏面へ上下方向に縫着されている。これによりシェード布地１０の裏面には、図１に示すように、上部から下部にかけて複数個のスナップボタン２０が列状に設けられている。各雄ボタン２１と雌ボタン２２とは、上下に等間隔で交互に設けられていることで、各雄ボタン２１同士、及び各雌ボタン同士２２が一定の間隔で規則的に配設されている。本実施例では、スナップボタン２０が、シェード布地１０の左右両側縁と幅方向中央部に３列設けている。
【００２３】
支持棒３０は、筒部１１に挿通されることでシェード布地１０を吊下する。支持棒３０としては、筒部１１に挿通可能な太さ、シェード布地１０の幅寸法より大きな長さ寸法、及びシェード布地１０の重量に耐え得る程度の強度を有する棒部材であれば特に制限されず、金属棒、木製棒、樹脂棒、セラミック棒などを使用できる。また、支持棒３０の両端にはストッパ３１を有する。このような支持棒３０としては、例えば量販店等で市販されているいわゆる「突っ張り棒」が好適である。本実施例では、種々サイズの窓へ対応可能なように、内外二重構造で内棒を軸回転させることで長さ寸法を伸縮自在な、図３に示すような「突っ張り棒」を使用している。
【００２４】
シェード１を窓に設置するには、支持棒３０を筒部１１へ挿通し、必要に応じて支持棒３０の長さを窓枠（図示せず）の幅寸法に合わせたうえで、該支持棒３０を窓枠内側の上端部に設置するだけでよい。このとき、左右のストッパ３１によって支持棒３０は窓枠内へ強固に設置され、滑落が防止される。
【００２５】
シェード１を開閉するには、適宜スナップボタン２０を係脱することでシェード布地１０の長さを伸縮すればよい。本実施例では係合手段としてスナップボタン２０を使用しているので、シェード１を開いた状態から閉じる場合は、シェード布地１０を下方へ引っ張るだけでよい。シェード１を開いた状態では、シェード布地１０は係合されたスナップボタン２０の位置において折り畳まれる。複数箇所においてスナップボタン２０を係合すれば、上下複数段に折り重なった状態となる。そのうえで、スナップボタン２０の係合数や各雄ボタン２１と雌ボタン２２との組み合わせ等を種々変更することで、シェード１の折り重なり形状を種々デザインすることができる。なお、本発明では、シェード１の折り重なり形状を種々変更することができるので、シェード１の全開状態は一義的に定義されない。以下、シェード布地１０が折り畳まれた部分を「襞」と称する。
【００２６】
例えば全てのスナップボタン２０（全ての隣り合う雄ボタン２１と雌ボタン２２同士）を係合させれば、図４に示すように、多数の小さな襞が重なった状態となる。また、１個または複数個おきにスナップボタン２０を係合すれば、図５に示すように、比較的大きな襞が形成される。また、図６に示すように、シェード布地１０の上下中間部のみにおいて
スナップボタン２０を係合するのみでもよい。図４〜６に示す形状は、各列におけるスナップボタン２０の係合パターンを同一としている。したがって、各襞は左右方向へ平坦に延びている。
【００２７】
さらには、各列におけるスナップボタン２０の係合パターンをそれぞれ異ならせることで、例えば図７や図８に示すように、各襞が湾曲した意匠性の高い折り重なり形状とすることもできる。例えば、左右両側縁にある列のスナップボタン２０は１つおきに係合する一方、幅方向中央部にある列のスナップボタン２０は２つおきに係合したり、各列の係合パターンは同じだが、係合する高さ位置を互い違いにするなど、多種多用の係合パターンがある。なお、綺麗な折り重なり形状を形成するには、左右両側縁にある列の係合パターンは同一としておくことが好ましい。
【００２８】
建築物の改装や引越し等によって設置対象である窓の幅寸法が変更した場合は、支持棒３０の長さ寸法と共に、図９に示すように、シェード布地１０の幅寸法も伸縮することで、同じシェード１をそのまま利用することができる。図９は、窓よりも大きな幅寸法のシェード１を、シェード布地１０を幅方向に皺寄せた状態で設置した状態を示している。この場合、幅方向の皺寄せによって襞が立体的になるので、より意匠性を向上することができる。
【００２９】
（変形例）
上記実施例では、左右両側縁と中央部に３列のスナップボタン２０を並設しているが、幅寸法の大きなシェード布地１０を使用する場合は、例えば図１０に示すように、中央部にも複数列のスナップボタン２０を配すことが好ましい。この場合、偶数列同士、奇数列同士において同一係合パターンとしておけば、綺麗な意匠を形成し易い。比較的幅寸法の小さなシェード布地１０であれば、左右両側縁の２列、又は中央部に１列のみでも構わない。また、スナップボタン２０を複数列並設する場合において、必ずしも左右両側縁にスナップボタン２０を設けなくともよい。
【００３０】
シェード布地１０は、基本的には窓の高さ寸法と同じ長さ寸法のものを使用して、全てのスナップボタンを脱離させた最伸状態を全閉状態とすればよいが、これに限らず、窓の高さ寸法より大きな長さ寸法のシェード布地１０を用いて、ある程度折り重ねた状態を全閉状態とすることもできる。
【００３１】
上記実施例では雄ボタン２１と雌ボタン２２とを交互に配設したが、これに限らず雄ボタン２１同士の間に複数個の雌ボタン２２を配したり、雌ボタン２２同士の間に複数の雄ボタン２１を配すこともできる。
【００３２】
係合手段としては、雄ボタン２１と雌ボタン２２とからなるスナップボタン２０のほか、例えば雄部材としてのフックと雌部材としての係合孔等とすることもできる。また、係合手段は、シェード布地１０に直接設けることもできる。また、係合手段はシェード布地１０の表面に設けることもできる。
【００３３】
筒部１１は、別布で形成した筒部材をシェード布地１０の上縁に縫着することもできる。シェード１を設置する際、ストッパ３１を有さない支持棒をカーテンレールに載置するだけでもよい。また、本発明では昇降コードを用いていないことにより基本的にはヘッドボックスやボトムバーは不要であるが、例えば筒部１１の替わりにカーテンレールへ設置固定するためのヘッドレールを設けることもできる。また、敢えてボトムバーを使用しても構わない。
【符号の説明】
【００３４】
１  シェード
１０  シェード布地
１１  筒部
２０  スナップボタン（係合手段）
２１  雄ボタン（雄部材）
２２  雌ボタン（雌部材）
２３  基布
３０  支持棒
３１  ストッパ
【図１】
2012097535.tif 000003
【図２】
2012097535.tif 000004
【図３】
2012097535.tif 000005
【図４】
2012097535.tif 000006
【図５】
2012097535.tif 000007
【図６】
2012097535.tif 000008
【図７】
2012097535.tif 000009
【図８】
2012097535.tif 000010
【図９】
2012097535.tif 000011
【図１０】
2012097535.tif 000012